(57)【要約】【課題】限られたスペースに配置できるリクライニング機構及びこのリクライニング機構を備えたベッドを提供する。【解決手段】床部１４の周囲に側面部が設けられたベッド本体１３と、ベッド本体１３が支持される支持台とを有するベッド１０に設けられるリクライニング機構２３であって、床部１４にリクライニング枠体３７が設けられ、作動杭２６を有するアクチュエータ２４と、作動杭２６と連結される伝動部２９と、伝動部２９と垂直に結合された梁部３０と、梁部３０の両端に腕部３１を有し、梁部３０の軸方向の両端に第１回動軸部３０ａが設けられた回動部材２８と、屈曲部３１を挟み、リクライニング枠体３７を押圧する押圧部３４と、揺動部３６とを有し、屈曲部３５には、第１回動軸部３０ａより高位置に第２回動軸部３５ａが設けられた昇降部材３３と、一端側３２ａが揺動部３６と、他端側３２ｂが腕部３１と連結されたリンク部材３２とを備える。【選択図】図７
2015066106.tif 000002
【特許請求の範囲】
【請求項１】
駆動手段により出し入れされる作動杭を有するアクチュエータと、
前記作動杭と回動自在に連結される伝動部と、前記伝動部と垂直に結合され、且つ、前記伝動部に対して垂直方向に延設された梁部と、前記梁部の両端から前記伝動部の軸方向に延設された一対の腕部とを有し、前記梁部の軸方向の両端を回動可能に取り付けられる第１回動軸部が設けられた回動部材と、
所定の角度に屈曲された屈曲部を有する棒状体で形成され、前記屈曲部を挟み、一方に上下方向に移動する押圧部と、他方に揺動部とを有し、前記屈曲部には、前記第１回動軸部より高い位置であって、回動可能に取り付けられる第２回動軸部が設けられた一対の昇降部材と、
を備えたことを特徴とするリクライニング機構。
【請求項２】
さらに、一端側が前記昇降部材の前記揺動部と回動自在に連結され、他端側が前記回動部材の前記腕部と回動自在に連結された一対のリンク部材とを備えたことを特徴とする請求項１に記載のリクライニング機構。
【請求項３】
前記リンク部材は、リクライニングされていない状態において、前記アクチュエータの前記作動杭が引き込まれた状態のときの前記回動部材の前記腕部と、前記昇降部材の前記揺動部とが連結される長さで形成されていることを特徴とする請求項２に記載のリクライニング機構。
【請求項４】
所定の面積を有する矩形状の床部を有し、前記床部の周囲に側面部が設けられたベッド本体と、前記ベッド本体の長手方向の両端部が支持される一方及び他方の支持台とを有するベッドに設けられるリクライニング機構であって、
前記床部には、一方が回動可能に取り付けられ、他方が昇降されるリクライニング枠体が設けられており、
駆動手段により出し入れされる作動杭を有するアクチュエータと、
前記作動杭と回動自在に連結される伝動部と、前記伝動部と垂直に結合され、前記床部に対して水平に延設された梁部と、前記梁部の両端から前記伝動部の軸方向に延設された一対の腕部とを有し、前記梁部の軸方向の両端に、前記ベッド本体の前記長手方向の両側面部に回動可能に取り付けられる第１回動軸部が設けられた回動部材と、
所定の角度に屈曲された屈曲部を有する棒状体で形成され、前記屈曲部を挟み、一方に上下方向に移動して前記リクライニング枠体を押圧する押圧部と、他方に揺動部とを有し、前記屈曲部には、前記第１回動軸部より高い位置であって、前記長手方向の側面部に回動可能に取り付けられる第２回動軸部が設けられた一対の昇降部材と、
を備えたことを特徴とするリクライニング機構。
【請求項５】
さらに、一端側が前記昇降部材の前記揺動部と回動自在に連結され、他端側が前記回動部材の前記腕部と回動自在に連結された一対のリンク部材とを備えたことを特徴とする請求項４に記載のリクライニング機構。
【請求項６】
前記リンク部材は、リクライニングされていない状態において、前記アクチュエータの前記作動杭が引き込まれた状態のときの前記回動部材の前記腕部と、前記昇降部材の前記揺動部とが連結される長さで形成されていることを特徴とする請求項５に記載のリクライニング機構。
【請求項７】
前記昇降部材の前記押圧部は、リクライニングされていないとき、前記ベッド本体の床部に対して水平に配置され、
前記リクライニング枠体は、前記押圧部上に載置されていることを特徴とする請求項４〜６のいずれかに記載のリクライニング機構。
【請求項８】
前記リクライニング枠体は、それぞれの前記昇降部材の前記押圧部に押圧される一対の押動部と、前記押動部の内側に設けられて前記ベッド本体に設けられた前記枠体を昇降させる昇降枠と、前記押動部と前記昇降枠とを繋ぐ複数の繋ぎ部とで構成され、
前記押動部の一方が軸により前記床部に回動自在に取り付けられていることを特徴とする請求項４〜７のいずれかに記載のリクライニング機構。
【請求項９】
リクライニングを行なうときは、
前記アクチュエータが駆動され、前記作動杭が押し出されることにより、前記回動部材の前記伝動部が前記作動杭により前記梁部の下方側に向けて押圧されることで、前記回動部材が前記梁部の第１回動軸部を支点として前記腕部が前記アクチュエータに向かうように回動され、
前記回動部材の回動により前記一対の腕部と連結された前記リンク部材の他端側が前記腕部の回動に連動して移動されることで前記リンク部材が移動されると共に、前記リンク部材の一端側と連結された前記昇降部材の前記揺動部も移動され、
前記昇降部材の前記揺動部が移動されることにより、前記昇降部材は、前記第２回動軸部を支点として前記押圧部が上昇する方向に回動されることを特徴とする請求項４〜８のいずれかに記載のリクライニング機構。
【請求項１０】
リクライニングを戻すときは、
前記アクチュエータが駆動され、前記作動杭が引き戻されることにより、前記回動部材の前記伝動部が前記作動杭により上方に向かって引き寄せられることで、前記回動部材が前記梁部の第１回動軸部を支点として前記アクチュエータから離れるように回動され、
前記回動部材の回動により前記一対の腕部と連結された前記リンク部材の他端側が前記腕部の回動に連動して移動されることで前記リンク部材が移動されると共に、前記リンク部材の一端側と連結された前記昇降部材の前記揺動部も移動され、
前記昇降部材の前記揺動部が移動されることにより、前記昇降部材は、前記第２回動軸部を支点として前記押圧部が下降する方向に回動されることを特徴とする請求項４〜９のいずれかに記載のリクライニング機構。
【請求項１１】
前記回動部材の前記腕部は、前記梁部の端部から前記伝動部とは反対方向に向かって形成されていることを特徴とする請求項１〜１０のいずれかに記載のリクライニング機構。
【請求項１２】
請求項１〜３のいずれかに記載のリクライニング機構が設けられたことを特徴とするベッド。
【請求項１３】
前記ベッド本体の内側に前記請求項４〜１０のいずれかに記載のリクライニング機構が設けられたことを特徴とするベッド。
【請求項１４】
前記ベッド本体の内側には、前記短手方向の側面部と平行な内側側面部が各前記支持台を囲うように設けられ、
前記リクライニング機構の前記アクチュエータは、前記ベッド本体の前記一方の支持台側の前記内側側面部に前記作動杭と反対側に設けられた取付部とが回動自在に取り付けられていることを特徴とする請求項１３に記載のベッド。
【請求項１５】
少なくとも前記一方の支持台側の前記内側側面部の内側及び前記長手方向の側面部のそれぞれの内側には、補強部材が設けられており、前記アクチュエータの取付部及び前記回動部材の前記第１回動軸部は、前記補強部材に取り付けられていることを特徴とする請求項１３又は１４に記載のベッド。
【請求項１６】
前記床部には開口部が形成され、
前記ベッド本体の内部には、前記開口部側が開口し、底部に開閉自在の排水口が設けられた箱状の貯水槽が設けられ、
前記貯水槽の上側には、複数に分割された枠体が前記開口部を覆うように着脱自在に載置され、
前記床部と前記枠体の間に前記リクライニング枠体が設けられていることを特徴とする請求項１３〜１５のいずれかに記載のベッド。
【請求項１７】
前記貯水槽は長手方向の一方が傾斜して形成された傾斜部を有し、前記貯水槽の前記傾斜部の背面に前記アクチュエータ及び前記回動部材の少なくとも一つが配置されていることを特徴とする請求項１６に記載のベッド。
【請求項１８】
前記貯水槽と前記側面部との間に、前記アクチュエー及び前記回動部の少なくとも一つが配置されていることを特徴とする請求項１６に記載のベッド。
【発明の詳細な説明】
【技術分野】
【０００１】
この発明は、限られたスペースに配置でき、安定した動作が可能であり、且つ、故障等の不具合を抑制したるリクライニング機構及びこのリクライニング機構を備えたベッドに関する。
【背景技術】
【０００２】
使用者が就寝等するベッドや要介護者が介護されるベッドにおいて、使用者の快適な使用状態にしたり、要介護者が介護を受けやすくしたり、介護者が介護を行いやすくしたりするためにベッドの床部分を傾斜させ、リクライニングが行えるように構成したものが知られている。また、介護ベッドの中には、要介護者が入浴を行う際、浴室に行くことが困難であるような場合には、介護ベッドに入浴を行える構造が設けられたものも知られている。さらに、介護ベッドとして、入浴等を行える機構とリクライニングを行える機構とを兼ね備えたものも知られている。
【０００３】
このような介護ベッドとしては、下記特許文献１に開示したような浴槽付き介護用ベッドがある。下記特許文献１に開示された浴槽付き介護用ベッドは、ベッドの基台となる箱形に形成したフレームの中空部に、浴槽が前記フレームから取り出し可能に設置される一方、前記フレームの上部に、防水加工したウォータマットが昇降装置を介して昇降可能に設置され、上昇位置では前記フレームに設けた支持部材により水平状態に支持され、下降時に、背もたれ部分を屈曲傾斜させながら前記浴槽内に沈下するように構成されている。そして、水平板下方のフレーム内には一対のリクライニング用油圧シリンダが設けられ、該油圧シリンダのピストンロッドは水平板に設けた開口から突出し、その先端に取り付けた断面半円弧状の樋状支えが受け台の背面に配設した横杆に離脱可能に係合しており、ピストンロッドの伸長により受け台が持ち上げられ、ウォータマットの頭部側がリクライニングの状態になるようになされている。
【０００４】
このような構成とすることで、下記特許文献１に開示された浴槽付き介護用ベッドによれば、患者をベッドから移動させずに寝かせたままの姿勢で入浴させることができるから、介護者の労力、負担を大幅に軽減できる。また、患者自身も楽に入浴できると共に、ベッドとして使用する際、前記フレームに付設した持上げ装置により前記ウォータマットの頭部側を斜めに持ち上げ、リクライニングできるようにすることも可能となされている。
【先行技術文献】
【特許文献】
【０００５】
【特許文献１】特開平５−２３７１６０号公報
【発明の概要】
【発明が解決しようとする課題】
【０００６】
一般に、リクライニング機構の駆動源として用いられるシリンダやアクチュエータ、ジャッキ等は、押し出す方向もしくは引き入れる方向（前後方向）に対しての外部からの力への耐久力はあるが、横方向へ受ける力に対してはあまり耐久力を有していないことが知られている。そのため、上記特許文献１に開示された介護ベッドでは、リクライニング用油圧シリンダにより直接受け台を持上げることでリクライニングを行っているため、リクライニング中に要介護者が動き、受け台を支えている桶状支え及び横杆の部分が横方向に揺れると、リクライニング用油圧シリンダに大きな負荷がかかり、故障するおそれがある。一方、リクライニング機構の故障等を抑制するために、頑丈に製造するとなると、構造が大きくなり、また、製造の費用も高くなってしまう。そして、このような課題は、介護ベッドに限らず、リクライニング機構を備えた通常のベッドにも該当する課題である。
【０００７】
本発明の目的は、限られたスペースに配置可能であって、安定した動作が可能であり、且つ、故障等の不具合を抑制したリクライニング機構及びこのリクライニング機構を備えたベッドを提供することである。
【課題を解決するための手段】
【０００８】
上記課題を解決するために、本発明の第１の態様のリクライニング機構は、駆動手段により出し入れされる作動杭を有するアクチュエータと、
前記作動杭と回動自在に連結される伝動部と、前記伝動部と垂直に結合され、且つ、前記伝動部に対して垂直方向に延設された梁部と、前記梁部の両端から前記伝動部の軸方向に延設された一対の腕部とを有し、前記梁部の軸方向の両端を回動可能に取り付けられる第１回動軸部が設けられた回動部材と、
所定の角度に屈曲された屈曲部を有する棒状体で形成され、前記屈曲部を挟み、一方に上下方向に移動する押圧部と、他方に揺動部とを有し、前記屈曲部には、前記第１回動軸部より高い位置であって、回動可能に取り付けられる第２回動軸部が設けられた一対の昇降部材と、
を備えたことを特徴とする。
【０００９】
また、第２の態様のリクライニング機構は、第１の態様のリクライニング機構において、さらに、一端側が前記昇降部材の前記揺動部と回動自在に連結され、他端側が前記回動部材の前記腕部と回動自在に連結された一対のリンク部材とを備えたことを特徴とする。
【００１０】
また、第３の態様のリクライニング機構は、第２の態様のリクライニング機構において、前記リンク部材は、リクライニングされていない状態において、前記アクチュエータの前記作動杭が引き込まれた状態のときの前記回動部材の前記腕部と、前記昇降部材の前記揺動部とが連結される長さで形成されていることを特徴とする。
【００１１】
第４の態様のリクライニング機構は、所定の面積を有する矩形状の床部を有し、前記床部の周囲に側面部が設けられたベッド本体と、前記ベッド本体の長手方向の両端部が支持される一方及び他方の支持台とを有するベッドに設けられるリクライニング機構であって、
前記床部には、一方が回動可能に取り付けられ、他方が昇降されるリクライニング枠体が設けられており、
駆動手段により出し入れされる作動杭を有するアクチュエータと、
前記作動杭と回動自在に連結される伝動部と、前記伝動部と垂直に結合され、前記床部に対して水平に延設された梁部と、前記梁部の両端から前記伝動部の軸方向に延設された一対の腕部とを有し、前記梁部の軸方向の両端に、前記ベッド本体の前記長手方向の両側面部に回動可能に取り付けられる第１回動軸部が設けられた回動部材と、
所定の角度に屈曲された屈曲部を有する棒状体で形成され、前記屈曲部を挟み、一方に上下方向に移動して前記リクライニング枠体を押圧する押圧部と、他方に揺動部とを有し、前記屈曲部には、前記第１回動軸部より高い位置であって、前記長手方向の側面部に回動可能に取り付けられる第２回動軸部が設けられた一対の昇降部材と、
を備えたことを特徴とする。
【００１２】
また、第５の態様のリクライニング機構は、第４の態様のリクライニング機構において、さらに、一端側が前記昇降部材の前記揺動部と回動自在に連結され、他端側が前記回動部材の前記腕部と回動自在に連結された一対のリンク部材とを備えたことを特徴とする。
【００１３】
また、第６の態様のリクライニング機構は、第５の態様のリクライニング機構において、前記リンク部材は、リクライニングされていない状態において、前記アクチュエータの前記作動杭が引き込まれた状態のときの前記回動部材の前記腕部と、前記昇降部材の前記揺動部とが連結される長さで形成されていることを特徴とする。
【００１４】
また、第７の態様のリクライニング機構は、第４〜６のいずれかの態様のリクライニング機構において、前記昇降部材の前記押圧部は、リクライニングされていないとき、前記ベッド本体の床部に対して水平に配置され、前記リクライニング枠体は、前記押圧部上に載置されていることを特徴とする。
【００１５】
また、第８の態様のリクライニング機構は、第４〜７のいずれかの態様のリクライニング機構において、前記リクライニング枠体は、それぞれの前記昇降部材の前記押圧部に押圧される一対の押動部と、前記押動部の内側に設けられて前記ベッド本体に設けられた前記枠体を昇降させる昇降枠と、前記押動部と前記昇降枠とを繋ぐ複数の繋ぎ部とで構成され、前記押動部の一方が軸により前記床部に回動自在に取り付けられていることを特徴とする。
【００１６】
また、第９の態様のリクライニング機構は、第４〜８のいずれかの態様のリクライニング機構において、リクライニングを行なうときは、前記アクチュエータが駆動され、前記作動杭が押し出されることにより、前記回動部材の前記伝動部が前記作動杭により前記梁部の下方側に向けて押圧されることで、前記回動部材が前記梁部の第１回動軸部を支点として前記腕部が前記アクチュエータに向かうように回動され、前記回動部材の回動により前記一対の腕部と連結された前記リンク部材の他端側が前記腕部の回動に連動して移動されることで前記リンク部材が移動されると共に、前記リンク部材の一端側と連結された前記昇降部材の前記揺動部も移動され、前記昇降部材の前記揺動部が移動されることにより、前記昇降部材は、前記第２回動軸部を支点として前記押圧部が上昇する方向に回動されることを特徴とする。
【００１７】
また、第１０の態様のリクライニング機構は、第４〜９のいずれかの態様のリクライニング機構において、リクライニングを戻すときは、前記アクチュエータが駆動され、前記作動杭が引き戻されることにより、前記回動部材の前記伝動部が前記作動杭により上方に向かって引き寄せられることで、前記回動部材が前記梁部の第１回動軸部を支点として前記アクチュエータから離れるように回動され、前記回動部材の回動により前記一対の腕部と連結された前記リンク部材の他端側が前記腕部の回動に連動して移動されることで前記リンク部材が移動されると共に、前記リンク部材の一端側と連結された前記昇降部材の前記揺動部も移動され、前記昇降部材の前記揺動部が移動されることにより、前記昇降部材は、前記第２回動軸部を支点として前記押圧部が下降する方向に回動されることを特徴とする。
【００１８】
また、第１１の態様のリクライニング機構は、第１〜１０のいずれかの態様のリクライニング機構において、前記回動部材の前記腕部は、前記梁部の端部から前記伝動部とは反対方向に向かって形成されていることを特徴とする。
【００１９】
さらに、第１２の態様のベッドは、前記第１〜３のいずれかの態様のリクライニング機構が設けられたことを特徴とする。
【００２０】
さらに、第１３の態様のベッドは、前記ベッド本体の内側に第４〜１０のいずれかの態様のリクライニング機構が設けられたことを特徴とする。
【００２１】
また、第１４の態様のベッドは、第１３の態様のベッドにおいて、前記ベッド本体の内側には、前記短手方向の側面部と平行な内側側面部が各前記支持台を囲うように設けられ、前記リクライニング機構の前記アクチュエータは、前記ベッド本体の前記一方の支持台側の前記内側側面部に前記作動杭と反対側に設けられた取付部とが回動自在に取り付けられていることを特徴とする。
【００２２】
また、第１５の態様のベッドは、第１３又は１４の態様のベッドにおいて、少なくとも前記一方の支持台側の前記内側側面部の内側及び前記長手方向の側面部のそれぞれの内側には、補強部材が設けられており、前記アクチュエータの取付部及び前記回動部材の前記第１回動軸部は、前記補強部材に取り付けられていることを特徴とする。
【００２３】
また、第１６の態様のベッドは、第１３〜１５のいずれかの態様のベッドにおいて、前記床部には開口部が形成され、前記ベッド本体の内部には、前記開口部側が開口し、底部に開閉自在の排水口が設けられた箱状の貯水槽が設けられ、前記貯水槽の上側には、複数に分割された枠体が前記開口部を覆うように着脱自在に載置され、前記床部と前記枠体の間に前記リクライニング枠体が設けられていることを特徴とする。
【００２４】
また、第１７の態様のベッドは、第１６の態様のベッドにおいて、前記貯水槽は長手方向の一方が傾斜して形成された傾斜部を有し、前記貯水槽の前記傾斜部の背面に前記アクチュエータ及び前記回動部材の少なくとも一つが配置されていることを特徴とする。
【００２５】
また、第１８の態様のベッドは、第１６の態様のベッドにおいて、前記貯水槽と前記側面部との間に、前記アクチュエー及び前記回動部の少なくとも一つが配置されていることを特徴とする。
【発明の効果】
【００２６】
第１〜３の態様のリクライニング機構によれば、アクチュエータの動作を回動部材ないし回動部材とリンク部材を介して昇降部材に伝達させることで、リクライニング機構の動力源となるアクチュエータに大きな負荷を与えることを抑制してリクライニングを行うことができるようになる。
【００２７】
第４〜６の態様のリクライニング機構によれば、リクライニングを行なう昇降部材が設けられるベッド等の両側に配置されるので、リクライニング機構を高さや幅が限られた少ないスペースであっても配置することができる。さらに、リクライニングを行なうリクライニング枠体を昇降部材により両側から押圧することで安定したリクライニングを行うことができるようになる。また、アクチュエータを１つとすることで、製造コストを抑えることができると共に、設けられるベッド等の軽量化を図ることができるようになる。さらに、アクチュエータの動作を回動部材ないし回動部材とリンク部材を介して昇降部材に伝達させることで、リクライニング機構の動力源となるアクチュエータに大きな負荷を与えることを抑制してリクライニングを行うことができるようになる。
【００２８】
また、第７の態様のリクライニング機構によれば、リクライニングを行なうリクライニング枠体は昇降部材の押圧部上に載置された状態で配置され、互に固定されていないため、アクチュエータの動力はリクライニング枠体には働かない。そのため、リクライニングを戻すとき、リクライニング枠体とベッド本体との間に介護者や要介護者が挟まれたとき、リクライニング枠体は浮くようになるため、安全性を高めることができる。
【００２９】
また、第８の態様のリクライニング機構によれば、リクライニング枠体によりベッド本体に設けられた枠体を容易に昇降させることができるようになる。
【００３０】
また、第９及び第１０の態様のリクライニング機構によれば、一台のアクチュエータによりベッド本体の両側に設けられた昇降部材が昇降されるようになることで、リクライニング機構が限られたスペースに配置されても安定したリクライニングができるようになる。
【００３１】
また、第１１の態様のリクライニング機構によれば、回動部材の伝動部と腕部とが相対する方向に向かって形成されているので、回動部材を設置したときのバランスがよくなり、回動を円滑に行うことができる。
【００３２】
第１２の態様のベッドによれば、上記第１〜３のいずれかの態様の効果を奏するリクライニング機構を備えたベッドを得ることができる。
【００３３】
第１３の態様のベッドによれば、上記第４〜１０のいずれか態様の効果を奏するリクライニング機構を備えたベッドを得ることができる。
【００３４】
また、第１４の態様のベッドによれば、リクライニング機構のアクチュエータを内側側面部に回動自在に取りつけることで、リクライニング機構の動作を円滑に行うことができるようになる。また、内側側面部に取り付けることで、ベッド本体内のスペースを有効に利用することができるようになる。
【００３５】
また、第１５の態様のベッドによれば、ベッド本体の側面部の内側に、例えば、金属製の補強部材を設け、この補強部材にアクチュエータの取付部及び回動部材の第１回動軸部を取り付けることで、ベッドの内側にリクライニング機構を強固に取り付けることができるようになる。
【００３６】
また、第１６〜１８の態様のベッドによれば、ベッドに貯水槽を設けるようにすることで介護ベッドとして使用することができるようになる。そして、浴槽となる貯水槽を別体で設けても、この貯水槽を覆うために設置される枠体を傾斜させるリクライニング機構を設けることで、リクライニングを行うことができ、且つ、入浴等が衛生的に行える介護ベッドを得ることができる。また、リクライニング機構のリクライニングを行なう昇降部材がベッド本体の長手方向の両側面部に設けられることで、ベッド本体に貯水槽を設けても限られたスペースにリクライニング機構を設けることができるようになる。
【図面の簡単な説明】
【００３７】
【図１】実施形態１にかかるベッドの斜視図である。
【図２】実施形態１にかかるベッドの分解斜視図である。
【図３】図３Ａは実施形態１のベッドのリクライニングの平坦な状態を示した側面図であり、図３Ｂはリクライニングをした状態を示した側面図である。
【図４】図４Ａは枠体及びマットを外した状態のベッドの一部を示した平面図であり、図４Ｂは床部を外した状態のベッドの平面図である。
【図５】図３Ａの状態のリクライニング機構の構成を示した図４ＢのＶ−Ｖ線での断面図である。
【図６】リクライニングの途中の状態を示した図５に対応する断面図である。
【図７】図３Ｂの状態のリクライニング機構の構成を示した図５に対応する断面図である。
【図８】図８Ａは実施形態２のベッドの図１に対応する斜視図であり、図８Ｂは図２に対応する分解斜視図である。
【図９】図９Ａは図８ＡのIXA‐IXA線での断面図であり、図９Ｂは排水管及び排水タンクを設けた状態を示す断面図である。
【図１０】図１０Ａは実施形態２のベッドの他の使用態様を示す斜視図であり、図１０Ｂは図１０Ａとは異なる使用態様を示した斜視図であり、図１０Ｃは図１０Ａとはさらに異なる使用態様を示した斜視図であり、図１０Ｄ、図１０Ｅは枠体の他の例を示したものである。
【図１１】図１１Ａ〜図１１Ｅは要介護者を含めた使用態様を示す一部断面で示した側面図である。
【図１２】図１２Ａは他の形状の貯水槽を示す平面図であり、図１２Ｂは図１２ＡのXIIB−XIIB線での断面図であり、図１２Ｃは図１２ＡのXIIC−XIIC線での断面図であり、図１２Ｄは図１２ＡのXIID−XIID線での断面図である。
【図１３】図１３Ａは実施形態２のベッドの図４Ａに対応する平面図であり、図１３Ｂは図４Ｂに対応する平面図である。
【図１４】応用例１にかかるリクライニング機構を示した図６に対応する断面図である。
【図１５】応用例２にかかるリクライニング機構を示した図６に対応する断面図である。
【図１６】応用例２にかかるリクライニング機構を示した図５に対応する断面図である。
【発明を実施するための形態】
【００３８】
以下、図面を参照して本発明の実施形態を説明する。但し、以下に示す実施形態は、本発明の技術思想を具体化するためのリクライニング機構及びこのリクライニング機構を備えたベッドを例示するものであって、本発明をこれに特定することを意図するものではなく、本発明は特許請求の範囲に含まれるその他の実施形態のものにも等しく適用し得るものである。
【００３９】
［実施形態１］
図１及び図２を参照して、実施形態１のリクライニング機構２３を備えたベッド１０を説明する。図１及び図２に示すように、実施形態１のベッド１０は、使用者が就寝するためのベッド本体１３と、ベッド本体１３が支持される一対の支持台１１、１２がベッド本体１３の長手方向の両端部に配置されている。また、ベッド本体１３には、格子状の枠体１９及びマット２２が設けられている。
【００４０】
一対の支持台１１、１２は、図１及び図２に示すように、ベッド本体１３の長手方向の両端に配置され、ベッド本体１３が上方に支持される台であり、例えば、直方体で形成されている。なお、支持台１１、１２の下方側の底面は、部屋内の畳やフロアマット、フローリング等の床面上に設置される部分であるため、底面には床面と接する部分にいくつかの脚部を設けるようにしてもよい。脚部を設けることで、床面に傷がつくのを抑制することができる。
【００４１】
次に、ベッド本体１３について説明する。ベッド本体１３は、図１及び図２に示すように、使用する者が就寝可能な大きさの所定面積及び厚さの矩形状で形成された床部１４を有し、床部１４上には、格子状の枠体１９と、この枠体１９の上側にマット２２がそれぞれ着脱自在に設けられている。なお、床部１４の周囲の一部には、後述するリクライニング機構２３の昇降部材３３の一部が配設されるための溝等の挿通部（不図示）が設けられている。
【００４２】
また、矩形状の床部１４の各端辺には、下方に垂下した長手方向の側面部１５、１６及び短手方向の側面部１７、１８が設けられ、一方及び他方の支持台１１、１２を囲うように設けられている。このとき、ベッド本体１３の内側にも支持台１１、１２を覆うように、短手方向の側面部１７、１８と平行に内側側面部１７'、１８'が設けられている。また、ベッド本体１３の長手方向に両側の支持台１１、１２の上側に位置する部分には、床部１４より高く形成されたヘッドボード１３ａ及びフットボード１３ｂが設けられている。
【００４３】
ベッド本体１３の床部１４上には、図２及び図４Ａに示すようにリクライニング機構２３により上下動されるリクライニング枠体３７が設けられている。そして、リクライニング枠体３７は、就寝時の使用者の上半身が配置される側、例えば、ベッド本体１３のヘッドボード１３ａ側に設けられる。リクライニング枠体３７の構成は、後述する揺動部材の押圧部３４に押圧される押動部３８と、昇降される昇降枠４０とを有し、押動部３８と昇降枠４０とが複数の繋ぎ部３９とで繋がれて一体に形成されている。このとき、ヘッドボード１３ａ側に配置された昇降枠４０が上下に昇降される部分となり、反対側は、押動部３８に形成された軸３７ａによりベッド本体１３の床部１４に回動自在に取り付けられている。
【００４４】
次に、格子状の枠体（以下、単に「枠体」とも言う。）３３は、図２に示すように、ベッド本体１３の床部１４に形成された枠体１９の外周に設けられた係止部２０によってベッド本体１３上に載置される。この枠体１９は、複数に分割されており、例えば、実施形態１では、使用者の上半身部の枠体１９ａ、腰部の枠体１９ｂ及び下肢部の枠体１９ｃの３つの部分に分割されている。なお、実施形態１では、上半身部の枠体１９ａがリクライニング枠体３７により上下に昇降されるようになる。
【００４５】
また、マット２２は、図１及び図２に示すように、使用者が就寝する部分であり、格子状の枠体１９の上側を覆うように着脱自在に載置されている。このマット２２は、上述した格子状の枠体１９と同様に複数に分割されて設けられ、例えば、実施形態１では、使用者の上半身部のマット２２ａ、腰部のマット２２ｂ及び下肢部のマット２２ｃの３つに分割されている。なお、マットを分割する数は３個に限られず、例えば、上半身部を２つに分割して４個としてもよく、また、それ以上でもよい。
【００４６】
次に、図３〜図７を参照して実施形態１のベッド１０のリクライニング機構２３について説明する。実施形態１のベッド１０のリクライニングは、リクライニング機構２３を作動させて、図３Ａに示した状態から図３Ｂに示した状態としたり、逆に図３Ｂに示した状態から図３Ａに示した状態にしたりすることで行われる。
【００４７】
実施形態１のベッド１０のリクライニング機構２３は、図４Ｂ、図５〜図７に示すようにベッド１０の内部に設置した動力源としてのアクチュエータ２４と、このアクチュエータ２４の動作により回動される回動部材２８と、回動部材２８の回動に連動して移動されるリンク部材３２と、ベッド本体１３の設けられたリクライニング枠体３７を上下動させる昇降部材３３とで構成されている。そして、この昇降部材３３によりリクライニング枠体３７が昇降されることで、リクライニング枠体３７上に載置された枠体及びマットが使用者と共に上下動されてリクライニングが行なわれるようになる。以下、各構成について説明する。なお、図４Ｂでは参考としてリクライニング枠体３７を点線で示しており、また、図５〜図７では、枠体及びマットが省略されている。
【００４８】
アクチュエータ２４は、動力源となる駆動手段２５と、駆動手段２５により出し入れされる棒状の作動杭２６とを有しており、ベッド本体１３の長手方向の略中央部分に設けられている。アクチュエータ２４の駆動手段２５側には取付部２７が設けられ、ベッド本体１３の一方の支持台１１側の内側側面部１８'に取り付けられており、この取付部２７は、ベッド本体１３の内側側面部１８'と回動自在に取り付けられている。また、アクチュエータ２４の作動杭２６の先端には、回動部材２８の伝動部２９と回動自在に連結される先端部２６ａが設けられている。
【００４９】
回動部材２８は、アクチュエータ２４の作動杭２６と回動自在に連結される伝動部２９と、ベッド本体１３の幅方向に亘って延設された梁部３０と、梁部３０の両端から延設された一対の腕部３１とで構成され、これらが一体となるように形成されている。
【００５０】
伝動部２９は、所定長さの棒状体で形成されており、一方がアクチュエータ２４の作動杭２６の先端部２６ａと回動自在に連結され、反対側は、梁部３０の略中央部分と垂直に結合されている。梁部３０は、ベッド本体１３の短手方向に沿った所定の太さを有した棒状体で形成され、床部１４と水平となるように設けられている。また、梁部３０の端部からは、アクチュエータ２４側とは反対方向に向かって板状体で形成された腕部３１がベッド本体１３の長手方向の両側面部１５、１６に沿って形成されている。この腕部３１は、梁部３０の反対側が後述するリンク部材３２の他端側３２ｂと回動自在に連結されている。また、梁部３０の両端部には、梁部３０の軸方向に向かって突出された第１回動軸部３０ａが形成されており、ベッド本体１３の両側面部１５、１６に回動可能に取り付けられている。なお、伝動部２９は、アクチュエータ２４の配置される位置に応じて設けられる位置を変更することができる。
【００５１】
リンク部材３２は、所定長さの棒状体で形成され、一端側３２ａが昇降部材３３の揺動部３６と回動自在に連結され、他端側３２ｂが回動部材２８の腕部３１と回動自在に連結されている。リンク部材３２も、ベッド本体１３の両側に設けられるため、一対設けられている。なお、リンク部材３２は、それぞれ対称に配置されており、同様の構成となっている。このリンク部材３２は、リクライニング機構がリクライニングされていない状態において、回動部材の腕部と昇降部材の揺動部とが連結される長さで形成されている。
【００５２】
昇降部材３３は、所定長さの棒状体であって、間に所定角度に屈曲された屈曲部３５が設けられ、いわゆるアルファベットの「Ｖ」字型あるいは日本語の「へ」もしくは「く」の字型となるように形成されている。そして、屈曲部３５を挟み、一方側が上下動することでリクライニング枠体３７を押圧する押圧部３４となっており、押圧部３４とは反対側は、リンク部材３２の一端側３２ａと回動自在に連結される揺動部３６となっている。また、屈曲部３５にはベッド本体１３の両側面部１５、１６に回動自在に支持される第２回動軸部３５ａが形成されている。この第２回動軸部３５ａは、ベッド本体１３の内側において、第１回動軸部３０ａより高位置に設けられるようになっており、実施形態１では、リクライニング枠体３７の軸３７ａと隣接した下方側に設けられている。なお、昇降部材３３もリンク部材３２と同様にベッド本体１３の両側にそれぞれ設けられている。
【００５３】
次に、実施形態１のベッド１０のリクライニング機構２３の動作について説明する。まず、図３Ａ、図５に示すようにベッド本体１３の枠体１９ａが水平な状態からリクライニングを行う場合を説明する。
【００５４】
リクライニング機構２３がリクライニングを行なっていない状態としては、図５に示すようにアクチュエータ２４の作動杭２６は引っ込んだ状態となっている。また、回動部材２８の伝動部２９及び腕部３１は略水平となっており、昇降部材３３の押圧部３４がベッド本体１３の床部１４と水平となっている。そして、ベッド本体１３のリクライニング枠体３７及び枠体１９等も床部１４上に水平に置かれた状態となっている。
【００５５】
また、押圧部３４とリクライニング枠体３７及び、リクライニング枠体３７と枠体１９ａとの間に隙間があるようにしてもよく、隙間を設けることで、使用者がベッド本体上で動いてもその振動等がリクライニング枠体や昇降部材に伝わることがないので、故障等を抑制することができる。
【００５６】
リクライニングを行う場合は、まず、アクチュエータ２４を作動させ駆動手段２５により作動杭２６を押し出すように移動させる。このアクチュエータ２４の作動方法は、電線を繋げ、ボタン等の操作により行ってもよく、また、リモートコントロールを用いて遠隔操作で行うようにしてもよい。
【００５７】
作動杭２６を押し出すと、図６に示すように、作動杭２６の先端部２６ａと連結された回動部材２８の伝動部２９が梁部３０の下方に向かうように移動し、この移動に合わせ梁部３０の第１回動軸部３０ａを支点として回動部材２８が回動される。そして、回動部材２８が回動されることにより、梁部３０の端部の腕部３１が第１回動軸部３０ａを支点として梁部３０の上方に向かい、且つ、アクチュエータ２４が設けられた側に向かうように移動される。このとき、回動部材２８は梁部３０を中心として、下方に伝動部２９が配置され、上方に腕部３１が配置されるようになる。また、腕部３１が移動されると、この腕部３１に連結されているリンク部材３２も連動してアクチュエータ２４側へ移動される。なお、アクチュエータ２４の取付部２７が回動自在にベッド本体１３の内側に取り付けられていることで、回動する伝動部２９と連結された作動杭２６は弧を描いて移動することができるようになる。
【００５８】
さらに、リンク部材３２の移動に伴い、リンク部材３２の一端側３２ａに連結されている昇降部材３３の揺動部３６がアクチュエータ２４側へ移動される。このとき、昇降部材３３は屈曲部３５の第２回動軸部３５ａを支点として回動される。そして、昇降部材３３が第２回動軸部３５ａを支点として回動することにより、昇降部材３３の押圧部３４が上昇し、この押圧部３４が上昇することにより、リクライニング枠体３７、及び、リクライニング枠体３７上に載置された枠体及びマット（不図示）が上昇し、図７に示すようにリクライニングが行なわれるようになる。
【００５９】
このとき、リクライニング枠体３７は、押動部３８が押圧部３４により押圧され、それと共に、押動部３８と繋ぎ部３９で繋がれた昇降枠４０が上昇されるようになる。また、第１回動軸部３０ａと第２回動軸部３５ａとの位置関係が、第１回動軸部３０ａより第２回動軸部３５ａが高い位置に設けられることで、各部材が円滑に移動することができるようになる。
【００６０】
また、リクライニングを戻す場合は、上述したリクライニングを行う場合の逆の工程で行われる。すなわち、図７に示す状態において、アクチュエータ２４の駆動手段２５を作動させ、作動杭２６を引き戻す方向に移動させる。作動杭２６を引き戻すと、図６に示すように、作動杭２６の先端部２６ａと連結された回動部材２８の伝動部２９が上方に向かうように移動し、この移動に合わせ回動部材２８が第１回動軸部３０ａを支点として回動される。
【００６１】
そして、回動部材２８が回動されることにより、梁部３０の端部の腕部３１が第１回動軸部３０ａを支点として下方に向かうと共に、アクチュエータ２４から離れるように移動される。このとき回動部材２８は、梁部３０と略水平となるように伝動部２９及び腕部３１が配置されるようになる。腕部３１が移動されると、この腕部３１に連結されているリンク部材３２も連動しアクチュエータ２４から離れる方向に移動される。
【００６２】
さらに、リンク部材３２の一端側３２ａに連結されている昇降部材３３の揺動部３６がアクチュエータ２４から離れる方向へ移動されることで、昇降部材３３は屈曲部３５の第２回動軸部３５ａを支点として回動される。そして、昇降部材３３の押圧部３４が第２回動軸部３５ａを支点として回動することにより、押圧部３４が下降する方向へ移動する。押圧部３４が下降することにより、押圧部３４により押圧されていたリクライニング枠体３７、及び、リクライニング枠体３７上に載置された枠体及びマット（不図示）が下降し、図５に示すようにリクライニングが戻され、リクライニング枠体３７及び昇降部材３３の押圧部３４が水平の状態に戻される。このとき、リクライニング枠体３７は、使用者が使用しているときは、使用者の体重を支えながら下降するようになる。
【００６３】
このような構成とすることで、リクライニング機構２３をベッド本体１３内側のわずかなスペースに設けることができるようになる。また、リクライニング機構の高さを低くすることができるので、ベッド等が低背のものでもリクライニング機構を設けることができるようになる。さらに、アクチュエータ２４の作動杭２６が出し入れされる動きを回動部材２８の梁部３０及び各腕部３１が均等にリンク部材３２を通じて昇降部材３３に伝えることができるので、より安定したリクライニングを行うことができるようになる。
【００６４】
なお、アクチュエータ２４は、図４Ｂ、図５〜図７に示すように、直接ベッド本体１３に取り付けるだけでなく、ベッド本体１３に、例えば金属製の頑丈な補強部材４１を設け、この補強部材４１に取付部２７を取り付けるようにしてもよい。また、回動部材２８も同様に、直接側面部１５、１６に取り付けるのではなく、補強部材４１を設け、この補強部材４１に第１回動軸部３０ａを取り付けるようにしてもよい。
【００６５】
また、リクライニング枠体は、押動部と昇降枠と繋ぎ部とで構成されたものを説明したが、これに限らず、昇降枠のみで構成し、リクライニング機構の昇降部材の押圧部により昇降枠を押圧し、リクライニングを行なうようにすることもできる。
【００６６】
また、リンク部材３２の長さは、リクライニング機構２３がリクライニングされていない状態のとき、すなわち、アクチュエータ２４が押し出されておらず、また、昇降部材３３の押圧部３４が床部１４と水平となっているときの、回動部材２８の腕部３１と昇降部材３３の揺動部３６とが連結される長さで形成されている（図５参照）。
【００６７】
［実施形態２］
実施形態２のベッドでは、実施形態１のリクライニング機構を設けたベッドに貯水槽を設けた場合について図８〜図１３を参照して説明する。なお、実施形態２のベッドの構成は、実施形態１のベッドと共通する構成については同一の符号を付し、詳細な説明は省略する。また、図９〜図１１では、リクライニング機構は省略されている。
【００６８】
実施形態２のベッド１０Ａは、図８Ａ及び図８Ｂに示すように、ベッド本体１３Ａの床部１４Ａの中央部分に所定の大きさの開口部１４Ａａが設けられている。そして、この床部１４Ａに形成された開口部１４Ａａには、格子状の枠体１９と、この枠体１９の上側にマット２２がそれぞれ着脱自在に設けられている。また、ベッド本体１３Ａの内部には、床部１４Ａに形成された開口部１４Ａａに対応して、箱状の貯水槽４２が設けられている。このように、ベッド本体１３Ａに貯水槽４２を備えることで、ベッド１０Ａを介護ベッドとして使用することができるようになる。
【００６９】
貯水槽４２は、ベッド本体１３Ａの内側に設けられ、床部１４Ａの開口部１４Ａａ側に対応して上方が開口し、下方に底部を有し、回りが側面で囲まれた箱状体で形成されている。なお、貯水槽４２は、長手方向の一方が傾斜して形成された傾斜部４２ａが設けられており（図８Ｂ参照）、この傾斜部４２ａの背面側には前記アクチュエータ２４や前記回動部材２８の少なくとも一方が配置されている。なお、アクチュエータ２４や回動部材２８の少なくとも一方は、単に貯水槽４２と側面部１５、１６との間に配置してもよい。また、この貯水槽４２の側面の上方側には、開口の外側に向かって延設された板状の支持固定部４３が開口の外周に沿って設けられている。この支持固定部４３が床部１４Ａの裏部１４Ａｂに支持固定される部分となる。
【００７０】
一方、ベッド本体１３Ａの長手方向の対向する側面部１５、１６からは、貯水槽４２の下部を支えるように、支持板体４４が各側面部１５、１６に亘って設けられており、貯水槽４２の荷重を支えることができるようになっている（図９参照）。なお、貯水槽４２は、ベッド本体１３Ａの内側に着脱自在に設けるようにしてもよい。その場合、ベッド本体の床部を取り外し、貯水槽の着脱を行うようにする。このようにすることで、貯水槽が損傷した場合や、他の機能が設けられた貯水槽と取り替えたり、さらに、後付で貯水槽を取り付けたりすることもできるようになる。
【００７１】
また、貯水槽４２には、開閉自在の栓部材４５ａが設けられた排水口４５が設けられており、貯水槽４２に水やお湯等の液体を溜めるときには栓部材４５ａを閉め、排水を行うときには栓部材４５ａを開けることができるようになっている。また、この排水口４５には、配水管４６が接続されており、この配水管４６は、排水タンクに接続し排水を行うことができるようになっている。なお、配水管４６は、家屋内の排水が可能な下水管等に直接接続するようにしてもよい。また、給水の場合も、排水と同じ容量、例えば５リットル〜３０リットル程度の給水用のタンクを設置することにより、この給水タンクに小型ポンプを設け、この小型ポンプを介して、シャワーなどの給水ができる。このように給水タンクを用いることで、給水管等の配管作業が不要となる。
【００７２】
また、ベッド１０Ａの貯水槽４２を利用して、トイレとして使用することもできる。そのため、貯水槽４２は、排泄物の洗浄を行いやすくするため、汚れ難く、また、汚れても洗浄しやすいようなコーティングを施してもよい。さらにまた、貯水槽４２は、ベッド本体１３Ａの内側に支持固定されると共に、要介護者が入浴も行うようにするため、貯水した水の重さと要介護者の体重に耐えることが可能であり、且つ、軽量である材質、例えば、合成樹脂材や金属製、例えばステンレスで形成されることが好ましい。合成樹脂材であれば、汚染防止目的のコーティングも行いやすくなり、また、ステンレスであれば、高い強度の貯水槽を得ることができる。さらに、これらを波目状に形成することでより強度を上げることができる。また、貯水槽は抗菌処理がされていることが好ましく、抗菌処理をすることで貯水槽を清潔に保つことができ、要介護者への感染や貯水槽からの臭いを抑制することができる。
【００７３】
次に、格子状の枠体（以下、単に「枠体」とも言う。）３３は、図８Ｂに示すように、ベッド本体１３Ａの床部１４Ａに形成された開口部１４Ａａを覆うと共に、貯水槽４２を覆うように、枠体１９の外周に設けられた係止部２０によってベッド本体１３Ａに係止されるように構成されている。
【００７４】
枠体１９は、ベッド１０Ａの使用態様によって水等の液体に曝されることが多くなるので、要介護者の体重を支えることができ、且つ、錆や腐食に強く、また、着脱が容易に行えるように軽量な材質のもの、例えば、強化プラスチック等の合成樹脂材、ステンレス材やアルミニウム合金等で形成することが好ましい。また、枠体１９の格子部分２１は、要介護者がこの枠体１９の格子部分２１に直接乗っても嵌り込まない幅で形成することが好ましい。このとき、腰部に設けられた枠体１９ｂでは、この部分から排泄の処理が行えるようにするため、格子に開口部２１ａ'（図１０Ａ参照）を設けてもよく、また、腰部に当る部分の形状を排泄のしやすい形状、例えば、弁座の形状（不図示）に形成するようにしてもよい。このようにすることで、排泄時に排泄物が枠体に付着するおそれを抑制し、また、要介護者は安心して排泄を行うことができるようになる。
【００７５】
また、マット２２は、図８Ａ及び図８Ｂに示すように、要介護者が就寝する部分であり、格子状の枠体１９の上側を覆うように着脱自在に載置されている。
【００７６】
また、マット２２は分割されているので、要介護者の好みに合わせて素材や感触の異なるマットを分割された単位で選択し、変更することもできる。例えば、反発係数の異なるもの、通気性の良好なもの、防水性を有するもの、及び疾病を有する部位に応じたもの等を選択することができる。また、マット２２が分割されていることで、洗濯・乾燥が容易に行うことができる。このようにすることで、要介護者の寝心地だけでなく、介護者の介護のしやすさにも良好な影響を与えることができる。なお、マット２２は抗菌処理がされていることが好ましく、抗菌処理をすることでマットを清潔に保つことができ、要介護者への感染やマットからの臭いを抑制することができる。
【００７７】
ここで、ベッド１０Ａの使用例を説明する。図１０Ａ及び図１１Ａに示すベッド１０Ａでは、要介護者４７の腰部に配置されたマット２２ｂのみを取り外し、腰部の部分の格子状の枠体１９ｂが現れるようにしたものである。このようにすることにより、腰部の枠体１９ｂの下の貯水槽４２に水等の液体を流すことができるようになる。そして、このような使用形態とすることで、要介護者は排泄を行うことができるようになる。排泄後は、簡易ポンプ等を用いて水やお湯等によって貯水槽４２を洗浄することができる。また、要介護者のおむつの取り換えを行うこともでき、汚れている場合は要介護者の腰部の洗浄を行うことができる。
【００７８】
要介護者にとって腰部の洗浄が容易に行えるようになることは、肉体的な衛生面だけでなく、精神的な衛生面にとっても効果的であり、さらに、床ずれを抑制することもできる。また、要介護者の腰部の洗浄を容易に行えるので洗浄の回数を増やしても介護者及び要介護者の負担が軽くなり、その結果、不快な臭いを軽減することができるようになる。また、介護者にとっても、容易に洗浄が行えるようになるので介護を行い易くなる。
【００７９】
また、マット２２が分割されているため、マット２２の取り外しも要介護者の身体の一部を持ち上げ、マット２２を引き抜くだけで行うことができるので、介護者の負担を減らすことができるようになる。なお、格子は抗菌処理がされていることが好ましく、抗菌処理をすることで格子を清潔に保つことができ、要介護者への感染や格子からの臭いを抑制することができる。
【００８０】
また、マット２２は、腰部以外にも、上半身部のマット２２ａを取り外すことで要介護者４７の洗髪を行うことができるようになり（図１０Ｂ及び図１１Ｂ参照）、下肢部のマット２２ｃを取り外すことで要介護者４７の足の洗浄を行うことができるようになる（図１０Ｃ及び図１１Ｃ参照）。また、下肢部のマット２２ｃと枠体１９ｃ（図８Ｂ参照）を取り外し、貯水槽４２にお湯を張ることで、足湯を行うことができるようになる。その場合、要介護者を着座させてもよい。さらに、図１１Ｄに示すように、全てのマット２２を取り除くこともでき、要介護者４７の全身にシャワーをかけることができる。シャワーを枠体１９上で行うことで、流れたシャワーの水やお湯に要介護者がつかることがないので、衛生的である。また、図１１Ｅに示すように、マット２２及び枠体１９をすべで取り除くことで、要介護者が入浴を行うことができるようになる。なお、枠体としては実施形態１で説明した格子状の枠体１９の他に、図１０Ｄに示すように枠内に梁材を対角線上に形成した枠体１９'や、図１０Ｅに示すように中央に方形状又は矩形状の梁材を設けた枠体１９"を用いてもよい。
【００８１】
ここで、貯水槽４２の排水について図９Ｂを参照して説明すると、貯水槽４２には、上述したように排水口４５が設けられており、この排水口４５は開閉が行えるように構成されている。そして、排水口４５には配水管４６が接続され、ベッド本体１３Ａの内側に配管され、その端部はベッド本体１３Ａの外側に向けられている。この配水管４６の端部には、排水をするための、例えば、排水タンク等が設けられている。そして、貯水槽４２にたまった排水は、ベッド本体が上方に配置されていることで重力による自然落下により排水口４５及び配水管４６を通り不図示の排水タンク等に溜められる。その後、排水タンク等を家庭のトイレ等から下水に流される。このとき配水管４６はやや傾斜を有するようにすることで、排水を円滑に行うことができる。なお、排水タンク等に一時ためることなく、配水管４６を直接下水につなぐこともできる。さらに、排水口、排水管および排水タンクは抗菌処理がされていることが好ましく、抗菌処理をすることで貯水槽を清潔に保つことができ、要介護者への感染や貯水槽からの臭いを抑制することができる。
【００８２】
また、貯水槽４２は、単に箱状のもので説明しているが、これに限らず、貯水槽を変形させてもよい。例えば、図１２Ａ〜図１２Ｄには、貯水槽４２'を補強するためのリブ４２ｂが複数個形成されたものである。さらに、使用したい構成に合わせ凸部等を設け要介護者が使用したときの、腰逃げ部、腰上げ部、肘掛部、及び足上げ部等の構造を設けるようにしてもよい。また、図１２Ａに示すように、凸部として入浴した要介護者の足元に向かうにつれて徐々に狭まるような絞り込み部４２ｃを形成することもできる。このようにすることで要介護者が入浴した際に、少ない水容積で入浴することができるようになり、使用する水やお湯を少なくすることができる。
【００８３】
また、実施形態２のベッドに設けられるリクライニング機構は、図８Ｂ及び図１３に示すように、実施形態１のリクライニング機構と共通のものである。なお、実施形態２のリクライニング機構２３は、ベッド本体１３Ａの内側の貯水槽４２が設けられた部分を除いたスペースに配置できるように構成されている。このとき、リクライニング機構のアクチュエータは、貯水槽４２の傾斜部４２ａの傾斜に沿って設けると好ましい。なお、リクライニング機構の動作は、実施形態１と共通するので詳細な説明は省略する。
【００８４】
以上より、実施形態２のベッド１０Ａでは、貯水槽が設けられることで、介護ベッドとして使用することができるようになる。また、実施形態２のリクライニング機構はコンパクトであるため、ベッドに貯水槽を設けたとしても、ベッド本体の両側の限られたスペースに設けることができる。
【００８５】
［応用例１］
なお、リクライニング機構は、上記実施形態１及び２で説明した構造に限られず、図１４に示したように、リンク部材を省いてもよい。すなわち、応用例１のベッド１０Ｂに設けられたリクライニング機構２８Ｂは、回動部材２８の腕部３１と昇降部材３３の揺動部３６とが回動自在に連結されている。このようにすることで、部品点数を減らすことができ、製造費を抑えることができるようになる。なお、実施形態１と共通する構成には共通の符号を付し、詳細な説明は省略する。
【００８６】
［応用例２］
また、応用例１ではリンク部材を省いた状態で、回動部材２８を第１回動軸部３０ａを軸に回動させてリクライニングを行なっている。しかし、回動部材の第１回動軸部をベッド本体に固定せず、アクチュエータの取付部を回動しないように固定することで、回動部材を実施形態１のリンク部材のように用いることもできる。なお、実施形態１と共通する構成には共通の符号を付し、詳細な説明は省略する。
【００８７】
すなわち、図１５に示すように、応用例２のベッド１０Ｃに設けられたリクライニング機構２３Ｃは、応用例１のリクライニング機構２３Ｂと同様に、リンク部材が省かれている。しかし、応用例２のリクライニング機構２３Ｃでは回動部材２８Ｃの梁部３０Ｃには第１回動軸部が形成されておらず、ベッド本体に固定されていないものとなっている。また、アクチュエータ２４Ｃの取付部２７Ｃは、回動しないように補強部材に４１に固定されている。そのため、回動部材２８Ｃは、回動部材２８Ｃの伝動部２９とアクチュエータ２４Ｃの作動杭２６Ｃの先端部２６Ｃａが回動自在に接続され、且つ、回動部材２８Ｃの腕部３１と昇降部材３３の揺動部３６とが回動自在に接続されている。そして、回動部材２８Ｃは、アクチュエータ２４Ｃと昇降部材３３との間を浮いている状態で支持されるようになっている。なお、図１５に示す状態では、昇降部材３３及び枠体等の重さがかかることにより回動部材２８Ｃは張った状態に保つことができるようになっている。
【００８８】
そして、応用例２のリクライニング機構２３Ｃにおいて、図１５のリクライニングがされている状態から図１６に示すリクライニングを戻した状態とするには、アクチュエータ２４Ｃを駆動し、アクチュエータ２４Ｃの作動杭２６Ｃを押し出すことで、回動部材２８Ｃの伝動部２９が押圧され、回動部材２８Ｃが回動しつつ移動し、昇降部材３３の下方に配置される。このとき、昇降部材３３は略自重により降下するようになり、アクチュエータ２４Ｃが回動部材２８Ｃを介して支持するようになっている。
【００８９】
また、応用例２のリクライニング機構２３Ｃにおいて、リクライニングを行なう場合は、上記と逆の工程となる。すなわち、図１６の状態のリクライニング機構２３Ｃからアクチュエータ２４Ｃを駆動させ、作動杭２６Ｃを引き込むと、作動杭２６Ｃに接続された回動部材２８Ｃの伝動部２９が引き寄せられることで、回動部材２８Ｃは回動しながらアクチュエータ２４Ｃに近接するように移動する。そして、回動部材２８Ｃの腕部３１が昇降部材３３の揺動部３６を引き寄せることで、昇降部材３３は第２回動軸部３５ａを軸として回動し、押圧部３４が上方へ移動し、リクライニングを行なうことができるようになる。このようにすることで、部品点数を減らすことができると共に、設計の幅を広げることができる。
【符号の説明】
【００９０】
１０、１０Ａ、１０Ｂ、１０Ｃ…ベッド  １１、１２…支持台  １３、１３Ａ…ベッド本体  １３ａ…ヘッドボード  １３ｂ…フットボード  １４、１４Ａ…床部  １４Ａａ…開口部  １４Ａｂ…裏部  １５〜１８…側面部  １７'、１８'…内側側面部  １９（１９ａ、１９ｂ、１９ｃ）、１９'、１９"…枠体  ２０…係止部  ２１…格子部分  ２１ａ…開口部  ２２（２２ａ、２２ｂ、２２ｃ）…マット  ２３、２３Ｂ、２３Ｃ…リクライニング機構  ２４、２４Ｃ…アクチュエータ  ２５…駆動手段  ２６、２６Ｃ…作動杭  ２６ａ、２６Ｃａ…先端部  ２７、２７Ｃ…取付部  ２８、２８Ｃ…回動部材  ２９…伝動部  ３０ａ…第１回動軸部  ３０、３０Ｃ…梁部  ３１…腕部  ３２…リンク部材  ３２ａ…一端側  ３２ｂ…他端側  ３３…昇降部材  ３４…押圧部  ３５…屈曲部  ３５ａ…第２回動軸部  ３６…揺動部  ３７…リクライニング枠体  ３７ａ…軸  ３８…押動部  ３９…繋ぎ部  ４０…昇降枠  ４１…補強部材  ４２…貯水槽  ４２ａ…傾斜部  ４２ｂ…リブ  ４２ｃ…絞り込み部  ４３…支持固定部  ４４…支持板体  ４５…排水口  ４５ａ…栓部材  ４６…配水管  ４７…要介護者  
【図１】
2015066106.tif 000003
【図２】
2015066106.tif 000004
【図３】
2015066106.tif 000005
【図４】
2015066106.tif 000006
【図５】
2015066106.tif 000007
【図６】
2015066106.tif 000008
【図７】
2015066106.tif 000009
【図８】
2015066106.tif 000010
【図９】
2015066106.tif 000011
【図１０】
2015066106.tif 000012
【図１１】
2015066106.tif 000013
【図１２】
2015066106.tif 000014
【図１３】
2015066106.tif 000015
【図１４】
2015066106.tif 000016
【図１５】
2015066106.tif 000017
【図１６】
2015066106.tif 000018